(57)【要約】【課題】本発明はケーブル付きコネクタに関し、小型化及び組立ての容易化、ケーブルの径及びケーブルの引き出し角度の違いに容易に対応できるようにすることを課題とする。【解決手段】第１のハーフカバー１７１と第２のハーフカバー１９０とが組合わされてなるコネクタカバー組立体１７０と、断面が共に半円形である二つケーブルハーフガイド２２１，２３０が組合わされてなるケーブルガイド２２０とを有する。二つケーブルハーフガイド２２１，２３０は、その先端側については、互いに係合されて結合してあり、その基部側については、第１のハーフカバー１７１と第２のハーフカバー１９０とによって挟まれて、結合されると共にコネクタカバー組立体１７０に取り外し可能に取り付けてある。ケーブルガイド２２０は、内径及びケーブル引出し角度が異なるものが複数種類用意してある。【選択図】        図３
2004253272.tif 000002
【特許請求の範囲】
【請求項１】
ケーブルがコネクタカバーより延びている構成のケーブル付きコネクタにおいて、
該コネクタカバーとは独立した部材であって、上記ケーブルを通すことが可能であるパイプ形状であり、該コネクタカバーより出た部分のケーブルを包み込んでガイドするケーブルガイドを有し、
該ケーブルガイドが、該コネクタカバーに取り外し可能に取り付けてある構成としたことを特徴とするケーブル付きコネクタ。
【請求項２】
請求項１記載のケーブル付きコネクタにおいて、
該コネクタカバーは、第１のハーフカバーと第２のハーフカバーとが組合わされてなる構成であり、
該ケーブルガイドは、断面が共に半円形である二つケーブルハーフガイドが組合わされてなる構成であり、
上記二つケーブルハーフガイドは、その先端側については、互いに係合されて結合してあり、その基部側については、上記第１のハーフカバーと第２のハーフカバーとによって挟まれて、結合されると共に上記コネクタカバーに取り外し可能に取り付けてある構成としたことを特徴とするケーブル付きコネクタ。
【請求項３】
請求項１記載のケーブル付きコネクタにおいて、
該ケーブルガイドを該コネクタカバーへ取り付ける取り付け部は、上記コネクタカバーのケーブル出口に関して対称に配置してあり、
該ケーブルガイドの先端側の向きを変えても取り付けられる構造を有することを特徴とするケーブル付きコネクタ。
【請求項４】
請求項１記載のケーブル付きコネクタにおいて、
該コネクタカバーは、第１のハーフカバーと第２のハーフカバーとが組合わされてなる構成であり、
該第１のハーフカバーと第２のハーフカバーとは夫々組合わされたときに突き合わされる壁部を有し、
該ケーブルガイドの基部側の部分が係合される部分を、該第１、第２のハーフカバーの上記壁部にその幅の範囲内に限定して形成してある凹部によって形成した構成としたことを特徴とするケーブル付きコネクタ。
【請求項５】
第１のハーフカバーと第２のハーフカバーとが組合わされてなる構成のコネクタカバーを有するケーブル付きコネクタの該コネクタカバーに取り外し可能に取り付けられるケーブルガイドであって、
共に断面が半円形である第１のケーブルハーフガイドと第２のケーブルハーフガイドとが組み合わされて、上記ケーブルを通すことが可能であるパイプ形状を形成する構成であり、
該第１のケーブルハーフガイドと第２のケーブルハーフガイドとは、先端側に互いに係合されて結合されるようにした形状部分を有し、基部側に上記第１のハーフカバーと第２のハーフカバーとによって挟まれるようにした形状部分を有するようにした構成としたことを特徴とするケーブルガイド。
【請求項６】
第１のハーフカバーと第２のハーフカバーとが組合わされてなる構成であり、ケーブルガイドが取り外し可能に取り付けられるコネクタカバーであって、
該第１のハーフカバーと第２のハーフカバーとは夫々組合わされたときに突き合わされる壁部を有し、
該ケーブルガイドの基部側の部分が係合される部分を、該第１、第２のハーフカバーの上記壁部にその幅の範囲内に限定して形成してある凹部によって形成した構成としたことを特徴とするコネクタカバー。
【発明の詳細な説明】
【０００１】
【発明の属する技術分野】
本発明はケーブル付きコネクタに係り、特に、データを平衡伝送する部分の接続、例えばコンピュータとサーバとの接続に使用される平衡伝送用ケーブル付き平衡伝送用コネクタに関する。
【０００２】
ケーブル付きコネクタとは、後ろ側からケーブルが延びているコネクタをいい、平衡伝送用ケーブル付き平衡伝送用コネクタとは、多数の端子が平衡伝送に適した配置となっており、後ろ側から平衡伝送用ケーブルが延びているコネクタをいう。
【０００３】
コンピュータとサーバ間のデータの伝送の方式としては、データごとに一本の電線を使用する通常の伝送方式と、データごとに対をなす二本の電線を使用して、伝送すべき＋信号とこの＋信号とは大きさが等しく逆向きの−信号とを同時に伝送すると平衡伝送方式がある。平衡伝送方式は、通常の伝送方式に比べてノイズの影響を受けにくいという利点を有しており、コンピュータとサーバとデータの伝送に多く採用されつつある。
【０００４】
図１（Ａ）に示すように、サーバ１はサーバ本体２がキャビネット３内に収容されている構造であり、フリーアクセス床１０上に設置されている。サーバ本体２の背面とキャビネット３の背面側の扉４との間には、ケーブルを収容するための適当な空間５が用意されている。また、フリーアクセス床１０から複数のケーブル２０が引き出されており、このケーブル２０の端のコネクタ２１がサーバ本体２の背面側のコネクタ６と接続されている。コネクタ６に接続されたコネクタ２１から出た複数のケーブル２０は、上記の空間５内を通ってフリーアクセス床１０に到っている。また、キャビネット３の背面側の扉４が閉じられて、ケーブル２０を覆っている。ここで、サーバ１は外形寸法を小さくするために、空間５の幅Ｓは出来るだけ狭く定めてある。
【０００５】
通常のケーブルは適度なフレキシブル性を有しているので、ケーブルコネクタ２１の背面側から外に出た部分でケーブル自体の自重でもって適度に湾曲しており、上記の空間５内に十分に収まり、問題は起きにくい。
【０００６】
しかし、平衡伝送方式を採用した場合には電線線の数が従来の約２倍に増えるため、平衡伝送用ケーブル１６０は硬くなって、適度なフレキシブル性は望めない。このため、平衡伝送用ケーブル自体の自重でもって適度に湾曲することが出来ず、自然な状態はケーブル１６０は空間５内には収まりきれず、空間５からはみでてしまい、作業者がケーブルを強制的に湾曲させなければ扉４が閉まらない状態となることがあった。
【０００７】
そこで、コネクタから延出している平衡伝送用ケーブル１６０を強制的に湾曲させて延在する方向をより下向きにする手段を設けることが考えられる。
【０００８】
【従来の技術】
図２に従来のケーブル付きコネクタ３０を示す。このコネクタ３０は、
コネクタから後方に出ているケーブル４０を強制的に湾曲させるケーブル強制湾曲手段３１がコネクタカバー３２に予め取り付けてある構造であって、このケーブル強制湾曲手段３１自体はケーブルを曲げる角度を変えてケーブルが引き出される方向を適宜選択することが可能となっている構造である。
【０００９】
【特許文献】
特開平１−１００８７７（第２図）
【００１０】
【発明が解決しようとする課題】
このケーブル強制湾曲手段３１は、円弧状のカバー３３に沿って、曲げたケーブルを引っ掛けるボール対３４が複数個所に配置してある構成であり、かなりサイズの大きいものとなってしまっていた。
【００１１】
また、データの伝送速度が１Ｇｂｉｔ／秒以上という高速度になると、信号の波長が短くなって、コネクタの内部で発生した電磁波がコネクタの外部に漏れ出し易くなる。このため、コネクタについても、電磁的妨害（ＥＭＩ；Ｅｌｅｃｔｒｏｍａｇｎｅｔｉｃ  Ｉｎｔｅｒｆｅｒｅｎｃｅ）対策を講ずる必要があるけれども、上記のコネクタ３０は、ＥＭＩ対策が十分ではない構造であった。
【００１２】
そこで、本発明は上記課題を解決したケーブル付きコネクタを提供することを目的とする。
【００１３】
【課題を解決するための手段】
請求項１の発明は、ケーブルがコネクタカバーより延びている構成のケーブル付きコネクタにおいて、
該コネクタカバーとは独立した部材であって、上記ケーブルを通すことが可能であるパイプ形状であり、該コネクタカバーより出た部分のケーブルを包み込んでガイドするケーブルガイドを有し、
該ケーブルガイドが、該コネクタカバーに取り外し可能に取り付けてある構成としたものである。
【００１４】
ケーブルガイドがパイプ形状であるので、ケーブル付きコネクタは従来に比較して小型になる。ケーブルガイドがコネクタカバーとは独立した部材であって、コネクタカバーに取り外し可能に取り付けてある構成であるので、形状の異なるケーブルガイドを複数用意することによって、コネクタカバーは一種類用意するだけでもって、複数の種類のケーブル及びケーブルを種々の曲率に湾曲させる要求に対応することが可能となる。
【００１５】
請求項２の発明は、請求項１記載のケーブル付きコネクタにおいて、
該コネクタカバーは、第１のハーフカバーと第２のハーフカバーとが組合わされてなる構成であり、
該ケーブルガイドは、断面が共に半円形である二つケーブルハーフガイドが組合わされてなる構成であり、
上記二つケーブルハーフガイドは、その先端側については、互いに係合されて結合してあり、その基部側については、上記第１のハーフカバーと第２のハーフカバーとによって挟まれて、結合されると共に上記コネクタカバーに取り外し可能に取り付けてある構成としたものである。
【００１６】
二つケーブルハーフガイドの先端側についてはねじを使用しないで結合させることが可能である。また、ケーブルガイドの基部側については第１のハーフカバーと第２のハーフカバーとを結合させる過程で結合されると共にコネクタカバーに取り外し可能に取り付けられるため、二つケーブルハーフガイドを結合させるためだけの作業及びケーブルガイドをコネクタカバーに取り付けるためだけの作業は不要となる。よって、ケーブル付きコネクタの組立て作業が簡単となる。
【００１７】
請求項３の発明は、請求項１記載のケーブル付きコネクタにおいて、
該ケーブルガイドを該コネクタカバーへ取り付ける取り付け部は、上記コネクタカバーのケーブル出口に関して対称に配置してあり、
該ケーブルガイドの先端側の向きを変えても取り付けられる構造を有するようにしたものである。
【００１８】
ケーブルガイドの取り付けの方向を変えるだけで、ケーブル付きコネクタが接続される相手側のコネクタの向きに容易に対応することが可能となる。
【００１９】
請求項４の発明は、請求項１記載のケーブル付きコネクタにおいて、
該コネクタカバーは、第１のハーフカバーと第２のハーフカバーとが組合わされてなる構成であり、
該第１のハーフカバーと第２のハーフカバーとは夫々組合わされたときに突き合わされる壁部を有し、
該ケーブルガイドの基部側の部分が係合される部分を、該第１、第２のハーフカバーの上記壁部にその幅の範囲内に限定して形成してある凹部によって形成した構成としたものである。
【００２０】
ケーブルガイドの基部側の部分が係合される部分が、第１、第２のハーフカバーの突き合わされる壁部にその幅の範囲内に限定して形成してある凹部によって形成してあるため、ケーブルガイドが取り付けられていない状態でも、ケーブルガイドの基部側の部分が係合される部分はコネクタの内部までは到っていず、コネクタカバーのシールド性を損ねない。
【００２１】
請求項５の発明は、第１のハーフカバーと第２のハーフカバーとが組合わされてなる構成のコネクタカバーを有するケーブル付きコネクタの該コネクタカバーに取り外し可能に取り付けられるケーブルガイドであって、
共に断面が半円形である第１のケーブルハーフガイドと第２のケーブルハーフガイドとが組み合わされて、上記ケーブルを通すことが可能であるパイプ形状を形成する構成であり、
該第１のケーブルハーフガイドと第２のケーブルハーフガイドとは、先端側に互いに係合されて結合されるようにした形状部分を有し、基部側に上記第１のハーフカバーと第２のハーフカバーとによって挟まれるようにした形状部分を有するようにした構成としたものである。
【００２２】
二つケーブルハーフガイドをねじを使用しないで結合させることが可能であり、ねじを締める作業は不要となる。
【００２３】
請求項６の発明は、第１のハーフカバーと第２のハーフカバーとが組合わされてなる構成であり、ケーブルガイドが取り外し可能に取り付けられるコネクタカバーであって、
該第１のハーフカバーと第２のハーフカバーとは夫々組合わされたときに突き合わされる壁部を有し、
該ケーブルガイドの基部側の部分が係合される部分を、該第１、第２のハーフカバーの上記壁部にその幅の範囲内に限定されて形成してある凹部によって形成した構成としたものである。
【００２４】
ケーブルガイドの基部側の部分が係合される部分が、第１、第２のハーフカバーの突き合わされる壁部にその幅の範囲内に限定して形成してある凹部によって形成してあるため、ケーブルガイドが取り付けられていない状態でも、ケーブルガイドの基部側の部分が係合される部分はコネクタの内部までは到っていず、コネクタカバーのシールド性を損ねない。
【００２５】
【発明の実施の形態】
図３は本発明の一実施例の平衡伝送用ケーブル付き平衡伝送用コネクタ１００を後方斜めからみて示し、図４は前方斜めから分解して示し、図５は断面して示す。平衡伝送用ケーブル付き平衡伝送用コネクタ１００は、平衡伝送用ケーブル１６０の端に設けて有り、その後ろ側から平衡伝送用ケーブル１６０が延びている構成である。Ｘ１−Ｘ２はコネクタ１００の幅方向、Ｙ１−Ｙ２はコネクタ１００の長手方向、Ｚ１−Ｚ２はコネクタ１００の高さ方向である。
【００２６】
図３、図４及び図５に示すように、コネクタ１００は、平衡伝送用プラグ本体１２０と、プラグ本体１２０の後端（Ｙ２方向端）に半田付けされて固定してある中継基板１４０と、中継基板４０のＹ２方向端に接続してある平衡伝送用ケーブル１６０と、プラグ本体２０と中継基板１４０とケーブル１６０の一部とを覆うシールドカバー組立体１７０と、シールドカバー組立体１７０よりＹ１方向に延出した部分のケーブル１６０を拘束してガイドしてケーブル１６０を強制的に所定の方向に所定の曲率で湾曲させてケーブル１６０のコネクタ１００の後ろ側から引き出される引き出し方向を定めるパイプ状のケーブルガイド２２０とを有する構成である。ケーブルガイド２２０はシールドカバー組立体１７０に取り外し可能に取り付けてある。このケーブルガイド２２０は、内径及びケーブル引出し角度が異なるものが複数種類用意してある。
【００２７】
プラグ本体１２０と中継基板１４０とが組合わされて、図６に拡大して示すように、平衡伝送用プラグ本体−中継基板組立体１５５を構成している。図８に示す平衡伝送用ケーブル１６０より引き出されている種々の電線がＸ１−Ｘ２方向に広げられて中継基板１４０夫々半田付けされている。パイプ状のケーブルガイド２２０がケーブル１６０の端側の部分を包み込んで拘束してガイドしている。シールドカバー組立体１７０は、第１のシールドハーフカバー１７１と第２のシールドハーフカバー１９０とが組合わされている構成である。２１０はコネクタの接続を解除させる際にＹ１方向に引く操作が行われるプルレバーであり、略Ｕ字形状であり、その両側の腕部を第１のシールドハーフカバー１７１に嵌合させて取り付けてあり、シールドカバー組立体１７０よりＹ１側に突き出して設けてある。ケーブルガイド２２０は、プルレバー２１０と干渉しないサイズであって、シールドカバー組立体１７０のＹ１側のケーブル通り口１７０ａに一致させてシールドカバー組立体１７０に取り付けてある。
【００２８】
コネクタ１００は、平衡伝送用ケーブル１６０が接続してある平衡伝送用プラグ本体−中継基板組立体１５５を第１のシールドハーフカバー１７１と第２のシールドハーフカバー１９０との間に収めると共に、ケーブルガイド２２０の端部を第１のシールドハーフカバー１７１と第２のシールドハーフカバー１９０との間に挟み込んで固定することによって組立てられる。図４では、図示の便宜上、ケーブルガイド２２０はケーブル１６０とは関連させないで示してある。
【００２９】
平衡伝送用プラグ本体１２０は、図７に拡大して示すように、合成樹脂製のモールド部品であるブロック体１２１に、対をなす第１、第２の信号コンタクト１３０−１，１３０−２と、板状のグランドコンタクト１３１とが、Ｘ１−Ｘ２方向に所定のピッチｐで交互に並んで組み込まれている構造である。
【００３０】
図６に示すように、中継基板１４０の上面１４０ａには、櫛歯状のグランドパターン１４１が形成してあり、隣り合う歯パターン１４１ａの間に、配線パターン１４２が形成してある。中継基板１４０の下面１４０ｂには、櫛歯状のグランドパターン１４７が形成してあり、隣り合う歯パターン１４７ａの間に、配線パターン１４８が形成してある。
【００３１】
図４及び図８に示すように、平衡伝送用ケーブル１６０は、軸線に対して垂直の断面において、外被覆部１６１及び電線群用遮蔽網線１６２の内側に複数本の電線１６３が並んで配されている構造である。ケーブル１６０の端部は、リング部材１６９によってかしめてある。各電線１６３は、平衡信号伝送用の対をなす第１、第２の被覆導線１６４−１、１６４−２に加えて、ドイレインワイヤ１６５を有する。電線群用遮蔽網線１６２の端部及び各電線１６３の端部は、処理されている。図４及び図５に示すように、第１の被覆導線１６４−１の導線１６４−１ａが第１の信号線用パッド１４３に、ドイレインワイヤ１６５がドレイン線用パッド１４５に、第２の被覆導線１６４−２の導線１６４−２ａが第２の信号線用パッド１４９に夫々半田付けされている。
【００３２】
平衡伝送用ケーブル１６０は、電線１６３の本数が多いため、硬く、充分なフレキシブル性を有していない。
【００３３】
次に、図９、図１０、図１１を併せ参照して、シールドカバー組立体１７０について説明する。
【００３４】
図９はシールドカバー組立体１７０及びケーブルガイド２２０を後方斜めからみて分解して示し、図１０は第１のシールドハーフカバー１７１を示し、図１１は第２のシールドハーフカバー１９０を表裏反転した状態で示す。
【００３５】
図３、図４、図５及び図９に示すように、第１のシールドハーフカバー１７１と第２のシールドハーフカバー１９０とは、図３に示すように、第２のシールドハーフカバー１９０のＹ２端の突部１９１，１９２を夫々第１のシールドハーフカバー１７１の受け部１８８，１８９に係止させて、且つ、第２のシールドハーフカバー１９０のＹ１端のＸ１−Ｘ２方向の両端をねじ２０６、２０７によって第１のシールドハーフカバー１７１に固定することによって結合されている。
【００３６】
第１、第２のシールドハーフカバー１７１、１９０は、導電性であり、非磁性である亜鉛のダイキャストである。
【００３７】
図４、図９及び図１０に示すように、第１のシールドハーフカバー１７１は、Ｙ２端に枠部１７２を有し、Ｘ１−Ｘ２方向端に、Ｙ１−Ｙ２方向に延在する二重の壁部１７３，１７４を有し、Ｙ１側には、中央にケーブル固定用の略半円形の凹部１７５を有し、且つ、凹部１７５からＸ１−Ｘ２方向に壁部１７３，１７４まで延在する広い幅Ｗ１の壁部１７６を有し、且つ、壁部１７６の内側（Ｙ２方向側）に立ち上がっている補助壁部１７９を有する。枠部１７２は、Ｘ１−Ｘ２方向端に、受け部１８８，１８９を有する。
【００３８】
上記の壁部１７６には、凹部１７５を中心に対称の位置に、ケーブルガイド２２０を固定するための段付き凹部１７７、１７８が形成してある。段付き凹部１７７、１７８は、図１３に併せて示すように、深い凹部１７７ａ、１７８ａと、壁部１７６のＹ１方向の外面１７６ａにまで到る浅い凹部１７７ｂ、１７８ｂとよりなる。凹部１７７ａ、１７８ａは、壁部１７６の幅の範囲内に限定されて形成してあり、壁部１７６のＹ２方向側の内側面までは到っていない。
【００３９】
図４、図９及び図１１に示すように、第２のシールドハーフカバー１９０は、Ｙ２端のＸ１−Ｘ２方向の両端に突部１９１，１９２を有し、Ｘ１−Ｘ２方向端に、Ｙ１−Ｙ２方向に延在する二重の壁部１９３，１９４を有し、Ｙ１側には、中央にケーブル固定用の略半円形の凹部１９５を有し、且つ、凹部１９５からＸ１−Ｘ２方向に壁部１９３，１９４まで延在する広い幅Ｗ１の壁部１９６を有する。
【００４０】
上記の壁部１９６には、凹部１９５を中心に対称の位置であって、且つ、上記の段付き凹部１７７、１７８に対応する位置に、ケーブルガイド２２０を固定するための段付き凹部１９７、１９８が形成してある。段付き凹部１９７、１９８は、図１３に併せて示すように、深い凹部１９７ａ、１９８ａと、壁部１９６のＹ１方向の外面１９６ａにまで到る浅い凹部１９７ｂ、１９８ｂとよりなる。凹部１９７ａ、１９８ａは、壁部１７６の幅の範囲内に限定されて形成してあり、壁部１９６のＹ２方向側の内側面までは到っていない。
【００４１】
次に、図１２乃至図１５を併せ参照して、ケーブルガイド２２０について説明する。
【００４２】
ケーブルガイド２２０は、第１のハーフガイド２２１と第２のハーフガイド２３１とが結合されてなる構成であり、内径Ｄ１がケーブル１６０の径Ｄ２に対応したサイズのパイプ形状であり、Ｘ−Ｙ面内で曲率半径Ｒ１でもって湾曲してあり、ケーブル引き出し角度はα１である。このケーブルガイド２２０は、ケーブル１６０を包み込んでおり、ケーブル１６０を拘束して、ケーブルガイド２２０の曲率に合わせて湾曲させて所定方向に引き出させる。
【００４３】
第１のハーフガイド２２１は、半円筒形状で湾曲した形状の本体２２２と、この本体２２２のＹ２側の縁よりＸ２、Ｘ１方向に張り出ている係止部２２３，２２４と、本体２２２のＹ１側の縁より略Ｘ２、Ｘ１方向に張り出ている凸部２２５，２２６とよりなる。係止部２２３，２２４は、本体２２２からＸ２、Ｘ１方向に張り出ているフランジ部２２３ａ，２２４ａと、フランジ部２２３ａ，２２４ａからＹ２方向に張り出ている係止爪２２３ｂ，２２４ｂとよりなる。係止爪２２３ｂ，２２４ｂは、横向きのＴ字形状であり、横向きの脚部２２３ｂ１，２２４ｂ１と、Ｚ１方向に突き出た爪部２２３ｂ２，２２４ｂ２と、Ｚ２方向に突き出た爪部２２３ｂ３，２２４ｂ３とを有する。
【００４４】
第２のハーフガイド２３１は、半円筒形状で湾曲した形状の本体２３２と、この本体２３２のＹ２側の縁よりＸ２、Ｘ１方向に張り出ている係止部２３３，２３４と、本体２３２のＹ１側の縁より略Ｘ２、Ｘ１方向に張り出ているＬ字形のフック部２３５，２３６とよりなる。係止部２３３，２３４は、本体２３２からＸ２、Ｘ１方向に張り出ているフランジ部２３３ａ，２３４ａと、フランジ部２３３ａ，２３４ａからＹ２方向に張り出ている係止爪２３３ｂ，２３４ｂとよりなる。係止爪２３３ｂ，２３４ｂは、横向きのＴ字形状であり、横向きの脚部２３３ｂ１，２３４ｂ１と、Ｚ１方向に突き出た爪部２３３ｂ２，２３４ｂ２と、Ｚ２方向に突き出た爪部２３３ｂ３，２３４ｂ３とを有する。
【００４５】
上記の第１のハーフガイド２２１と第２のハーフガイド２３１とは、平衡伝送用ケーブル１６０の平衡伝送用プラグ本体−中継基板組立体１５５への接続が完了した段階で、ケーブル１６０のうち端の近くの部分をケーブルガイド２２０の曲率に合わせて強制的に湾曲させ、この湾曲させた部分のうち下側の半分を樋形状の第１のハーフガイド２２１内に収め、次いで、第２のハーフガイド２３１をそのＹ１側が下を向く斜めの姿勢とし、破線３００，３０１で示すようにフック部２３５，２３６を夫々凸部２２５，２２６に係止させ、Ｙ２側を降ろして、本体２３２がケーブルガイド２２０のうち上側の半分を覆うようにし、係止部２３３，２３４が夫々係止部２２３，２２４と組み合うようにし（図１４参照）、係止部２３３と係止部２２３とが組合わされた部分のうちＺ２側の部分を第１のハーフガイド２２１の段付き凹部１７７に係合させると共に係止部２３４と係止部２２４とが組合わされた部分のうちＺ２側の部分を段付き凹部１７８に係合させ、その後に、第２のシールドハーフカバー１９０を第１のシールドハーフカバー１７１に固定することによって、ケーブル１６０をガイドしているケーブルガイド２２０とされて、シールドカバー組立体１９０のＹ１方向側に取り外し可能な状態で取り付けられる。
【００４６】
即ち、第１のハーフガイド２２１と第２のハーフガイド２３１とは、Ｙ２方向端側については、フック部２３５，２３６が凸部２２５，２２６を係止することによって結合され、Ｙ１方向端側については、第２のシールドハーフカバー１９０を第１のシールドハーフカバー１７１に固定する過程で、第１のシールドハーフカバー１７１と第２のシールドハーフカバー１９０とによって挟まれて、組合わされると共にシールドカバー組立体１７０に取り外し可能な状態で取り付けられる。よって、第１のハーフガイド２２１と第２のハーフガイド２３１とはねじを使用しないで結合され、第１、第２のハーフガイドの両端側を共にねじ止めして結合させる構成に比べて、組立て性が良い。
【００４７】
なお、第１のハーフガイド２２１及び第２のハーフガイド２３１のＹ１方向端側が突き合わされると、係止部２３３と係止部２２３、及び係止部２３４と係止部２２４は、夫々、図１４に示すように、Ｘ１−Ｘ２方向に隣り合った状態で組合わされる。この組合わされた状態では固定されず、この組合わされた部分が図１３、図１４、図１５に示すように、段付き凹部１７７と段付き凹部１９７とが上下に対向して形成された入り口が狭い形状の空間２４０、２４１の奥部に係止され、Ｘ１−Ｘ２方向の自由、Ｚ１−Ｚ２方向の自由、及びＹ１−Ｙ２方向の自由を共に制限された状態とされ、ケーブル１６０をガイドしているケーブルガイド２２０のＹ２側がシールドカバー組立体１９０に固定される。ここで、フランジ部２２３ａ，２２４ａ、２３３ａ，２３４ａの存在によって、ケーブルガイド２２０がシールドカバー組立体１９０に固定してある個所の間のＸ１−Ｘ２方向の距離Ｌ１は長い。よって、ケーブルガイド２２０はシールドカバー組立体１９０に堅固に固定される。
【００４８】
また、第１、第２のハーフガイド２２１、２３１のＹ１方向端側が突き合わせた場合に、係止部２３３と係止部２２３、及び係止部２３４と係止部２２４とは、図１４に示すように、第２のハーフガイド２３１の係止部２３３、２３４が共に第１のハーフガイド２２１の係止部２２３、２２４に対してＸ２側に位置するように組み合わされる。このため、第１、第２のハーフガイド２２１、２３１のＹ１方向端側が突き合わせるときに、係止部２３３、２３４の位置を係止部２２３、２２４に対して合わせることは必要ではなく、第１、第２のハーフガイド２２１、２３１のＹ１方向端側はＸ１−Ｘ２方向については多少はずれてもよいという自由度を有しており、先ずは付き合わせ、その後にＸ１−Ｘ２方向にずらして係止爪２３３ｂと係止爪２２３ｂ、係止爪２３４ｂと係止爪２２４ｂとを付き合わせる操作を行えばよく、例えば、係止部２３３、２３４が係止部２２３、２２４の内側に入り込む関係となるようにしてあって第１、第２のハーフガイド２２１、２３１のＹ１方向端側を突き合わせる過程で、係止部２３３、２３４の位置を合わせて係止部２２３、２２４の内側に入り込むようにする作業に比べて作業がし易い。
【００４９】
図１（Ｂ）は上記のコネクタ１００を使用した例を示す。サーバ本体２の背面のコネクタ６に接続されたコネクタ１００から延在するケーブル１６０は、コネクタ１００から出た個所でケーブルガイド２２０でもってガイドされて強制的に床の方向であるＢ２方向に湾曲されており、ケーブル１６０のサーバ本体２の背面からＡ２方向への膨らみは従来に比べて小さく抑えられ、ケーブル１６０は空間５の内部に収まり、扉４は正常に閉じられる。
【００５０】
図１６はケーブルガイド２２０を図３に示す向きに対して１８０度回動させて反対の向きとしてシールドカバー組立体１９０に取り付けてある構成のコネクタ１００Ａを示す。ケーブルガイド２２０のシールドカバー組立体１９０への固定部分は、ケーブル通り口１７０ａの中心Ｏに関して左右対称であるため、ケーブルガイド２２０は図３に示す向きに対して１８０度回動させた反対の向きでも取り付けられる。
【００５１】
ここで、コネクタ１００は接続するときの向きに方向性を有しているため、サーバ側のコネクタの向きに合わせてコネクタ１００の姿勢を変える必要がある。よって、ケーブルガイド２２０が向きを変えて取り付けられるようになっている構造は有用である。
【００５２】
また、ケーブルガイド２２０がシールドカバー組立体１９０とは独立した部品であって、ケーブルガイド２２０がシールドカバー組立体１９０に取り付けられる構成であるため、ケーブルガイド２２０については、引き出し角度、曲率半径或いは直径の相違するものを複数種類準備しておくことによって、種々のケーブル及び種々の曲率半径の湾曲に対応することが可能となり、第１、第２のシールドハーフカバー１７１、１９０については同じものを用意しておけば足り、予めケーブルガイドをシールドカバー組立体と一体化した構成に比べて、金型製作費用が削減可能である。
【００５３】
また、ケーブルガイド２２０は二つの部品を組み合わせたものではなくて、湾曲させたパイプ状の単一部品のものでもよい。
【００５４】
また、ケーブルガイド２２０の材質は、合成樹脂でもよい。ケーブルガイドは、シールドカバー組立体に固定されている部分と、ケーブルが引き出される部分とに分かれており、ケーブルが引き出される部分がシールドカバー組立体に固定されている部分に対して旋回する構成、或いは、二股に分かれている構造でもよい。
【００５５】
なお、コネクタ１００はケーブルガイド２２０を取り付けない状態でも使用される。図１７は、ケーブルガイド２２０を取り付けない場合のシールドカバー組立体１９０の空間２４０の周囲の部分を示す。空間２４０はシールドカバー組立体１９０の内部にまでは延びていず、且つ、補助壁部１７９が壁部１７６と壁部１９６との突き当っている部分の端を塞いでいる。よって、ケーブルガイド２２０が取り付けられていない場合であっても、シールドカバー組立体１９０のシールド性は良好である。
【００５６】
また、本発明は、使用されるケーブルが平衡伝送用ケーブル１６０である場合に効果があるが、平衡伝送用ではない通常のケーブルである場合にも効果を有する。
【００５７】
【発明の効果】
以上説明したように、請求項１の発明によれば、コネクタカバーより出た部分のケーブルを包み込んでガイドするケーブルガイドがパイプ形状であるので、ケーブル付きコネクタを従来に比較して小型に出来る。また、ケーブルガイドがコネクタカバーとは独立した部材であって、コネクタカバーに取り外し可能に取り付けてある構成であるので、形状の異なるケーブルガイドを複数用意することによって、コネクタカバーは一種類用意するだけでもって、複数の種類のケーブル及びケーブルを種々の曲率に湾曲させる要求に対応することが出来る。
【００５８】
請求項２の発明は、コネクタカバーは、第１のハーフカバーと第２のハーフカバーとが組合わされてなる構成であり、ケーブルガイドは、断面が共に半円形である二つケーブルハーフガイドが組合わされてなる構成であり、上記二つケーブルハーフガイドは、その先端側については、互いに係合されて結合してあり、その基部側については、上記第１のハーフカバーと第２のハーフカバーとによって挟まれて、結合されると共に上記コネクタカバーに取り外し可能に取り付けてある構成としたものであるので、二つケーブルハーフガイドの先端側についてはねじを使用しないで結合させることが可能となり、また、ケーブルガイドの基部側については第１のハーフカバーと第２のハーフカバーとを結合させる過程で結合されると共にコネクタカバーに取り外し可能に取り付けられるため、二つケーブルハーフガイドを結合させるためだけの作業及びケーブルガイドをコネクタカバーに取り付けるためだけの作業は不要となり、よって、ケーブル付きコネクタの組立て作業を簡単に能率よく行うことが出来る。
【００５９】
請求項３の発明は、ケーブルガイドを該コネクタカバーへ取り付ける取り付け部は、上記コネクタカバーのケーブル出口に関して対称に配置してあり、ケーブルガイドの先端側の向きを変えても取り付けられる構造を有するため、ケーブルガイドの取り付けの方向を変えるだけで、ケーブル付きコネクタが接続される相手側のコネクタの向きに容易に対応することが可能となる。
【００６０】
請求項４の発明は、請求項１記載のケーブル付きコネクタにおいて、該コネクタカバーは、第１のハーフカバーと第２のハーフカバーとが組合わされてなる構成であり、該第１のハーフカバーと第２のハーフカバーとは夫々組合わされたときに突き合わされる壁部を有し、該ケーブルガイドの基部側の部分が係合される部分を、該第１、第２のハーフカバーの上記壁部にその幅の範囲内に限定して形成してある凹部によって形成した構成であるため、ケーブルガイドが取り付けられていない状態でも、ケーブルガイドの基部側の部分が係合される部分はコネクタの内部までは到っていず、コネクタカバーのシールド性を損ねないように出来る。
【００６１】
請求項５の発明は、第１のハーフカバーと第２のハーフカバーとが組合わされてなる構成のコネクタカバーを有するケーブル付きコネクタの該コネクタカバーに取り外し可能に取り付けられるケーブルガイドであって、共に断面が半円形である第１のケーブルハーフガイドと第２のケーブルハーフガイドとが組み合わされて、上記ケーブルを通すことが可能であるパイプ形状を形成する構成であり、該第１のケーブルハーフガイドと第２のケーブルハーフガイドとは、先端側に互いに係合されて結合されるようにした形状部分を有し、基部側に上記第１のハーフカバーと第２のハーフカバーとによって挟まれるようにした形状部分を有するようにした構成としたものであるため、二つケーブルハーフガイドをねじを使用しないで結合させることが可能であり、ねじを締める作業を不要とし得る。
【００６２】
請求項６の発明は、第１のハーフカバーと第２のハーフカバーとが組合わされてなる構成であり、ケーブルガイドが取り外し可能に取り付けられるコネクタカバーであって、該第１のハーフカバーと第２のハーフカバーとは夫々組合わされたときに突き合わされる壁部を有し、該ケーブルガイドの基部側の部分が係合される部分を、該第１、第２のハーフカバーの上記壁部にその幅の範囲内に限定されて形成してある凹部によって形成した構成としたため、ケーブルガイドが取り付けられていない状態でも、ケーブルガイドの基部側の部分が係合される部分はコネクタの内部までは到っていず、コネクタカバーのシールド性を損ねないように出来る。
【図面の簡単な説明】
【図１】サーバの背面側のケーブルの状態を示す図である。
【図２】従来例を示す図である。
【図３】本発明の一実施例になる平衡伝送用ケーブル付き平衡伝送用コネクタをその後方斜めからみて示す斜視図である。
【図４】図３のコネクタを前方斜めからみて示す分解斜視図である。
【図５】コネクタの内部構造を示す、図３中、Ｖ−Ｖ線に沿う断面図である。
【図６】平衡伝送用プラグ本体−中継基板組立体の一部を拡大して示す図である。
【図７】平衡伝送用プラグ本体とコンタクトとを対応させて示す図である。
【図８】平衡伝送用ケーブルの断面図である。
【図９】シールドカバー組立体及びケーブルガイドを後方斜めからみて分解して示す斜視図である。
【図１０】第１のシールドハーフカバーを示す斜視図である。
【図１１】第２のシールドハーフカバーを表裏反転させた状態で示す図である。
【図１２】ケーブルガイドを示す図である。
【図１３】ケーブルガイドのシールドカバー組立体への固定構造を示す図である。
【図１４】ケーブルガイドのシールドカバー組立体への固定構造を示す、図３中、ＸＩＶ−ＸＩＶ線に沿う断面図である。
【図１５】ケーブルガイドのシールドカバー組立体への固定構造を示す、図３中、ＸＶ−ＸＶ線に沿う断面図である。
【図１６】ケーブルガイドを向きを変えて取り付けたコネクタを示す図である。
【図１７】ケーブルガイドを取り付けない場合のシールドカバー組立体の一部の断面を示す図である。
【符号の説明】
１００  平衡伝送用ケーブル付き平衡伝送用コネクタ
１２０  平衡伝送用プラグ本体
２１  ブロック体
１３０−１，３０−２  第１、第２の信号コンタクト
１３１  グランドコンタクト
１４０  中継基板
１５５  平衡伝送用プラグ本体−中継基板組立体
１６０  平衡伝送用ケーブル
１６３  電線
１６４−１、１６４−２  被覆導線
１６５  ドイレインワイヤ
１７０  シールドカバー組立体
１７１  第１のシールドハーフカバー
１７６  壁部
１７７、１７８  段付き凹部
１７７ａ、１７８ａ  深い凹部
１７７ｂ、１７８ｂ  浅い凹部１７７ｂ、１７８ｂ
１７９  補助壁部
１９０  第２のシールドハーフカバー
１９６  壁部
１９７、１９８  段付き凹部
１９７ａ、１９８ａ  深い凹部
１９７ｂ、１９８ｂ  浅い凹部１７７ｂ、１７８ｂ
２２０  ケーブルガイド
２２１  第１のハーフガイド
２２２  本体
２２３，２２４  係止部
２２３ａ，２２４ａ  フランジ部
２２３ｂ，２２４ｂ  係止爪
２２３ｂ１，２２４ｂ１  脚部
２２３ｂ２，２２４ｂ２、２２３ｂ３，２２４ｂ３  爪部
２２５，２２６  凸部
２３１  第２のハーフガイド
２３２  本体
２３３，２３４  係止部
２３３ａ，２３４ａ  フランジ部
２３３ｂ，２３４ｂ  係止爪
２３３ｂ１，２３４ｂ１  脚部
２３３ｂ２，２３４ｂ２、２３３ｂ３，２３４ｂ３  爪部
２３５，２３６  Ｌ字形のフック部
２４０，２４１  空間
【図１】
2004253272.tif 000003
【図２】
2004253272.tif 000004
【図３】
2004253272.tif 000005
【図４】
2004253272.tif 000006
【図５】
2004253272.tif 000007
【図６】
2004253272.tif 000008
【図７】
2004253272.tif 000009
【図８】
2004253272.tif 000010
【図９】
2004253272.tif 000011
【図１０】
2004253272.tif 000012
【図１１】
2004253272.tif 000013
【図１２】
2004253272.tif 000014
【図１３】
2004253272.tif 000015
【図１４】
2004253272.tif 000016
【図１５】
2004253272.tif 000017
【図１６】
2004253272.tif 000018
【図１７】
2004253272.tif 000019